(57)【要約】【課題】気象観測データを元にして縁辺部２ａに積もった雪を圧密沈降を利用して建築物または構築物の内外に割って外側にせり出すことを防止する雪割り装置の提供。【解決手段】建築物又は構築物の上端の、冬期に風下となる縁辺部２ａに垂直の雪割り板４を立設し、雪割り板４の上端から少し下がった内側に上面に積雪しない程度に傾斜した傾斜板５を設け、傾斜板５によって上記縁辺部２ａ上に直接に降雪するのを防止し、雪割り板４によって上記縁辺部２ａ上を通過する空気の流れを早めるとともに、雪割り板４を越えた後に圧密沈降した雪を割る。【選択図】　　　　図１
2004019372.tif 000002
【特許請求の範囲】
【請求項１】
建築物又は構築物の上端の、冬期に風下となる縁辺部に垂直の雪割り板を立設し、雪割り板の上端から少し下がった内側に上面に積雪しない程度に傾斜した傾斜板を設け、傾斜板によって上記縁辺部上に直接に降雪するのを防止し、雪割り板によって上記縁辺部上を通過する空気の流れを早めるとともに、雪割り板を越えた後に圧密沈降した雪を割ることを特徴とする雪割り装置。
【発明の詳細な説明】
【０００１】
【発明の属する技術分野】
本発明は、建築物又は構築物の上端の縁辺部上に雪が降り積もりにくくするとともに、積雪した場合には雪を圧密沈降時に内外に割って積雪が建築物又は構築物の外側にせり出さないようにする雪割り装置に関する。
【０００２】
【従来技術とその問題点】
北海道、東北、北陸などの降雪量の多い地方では、建物の屋根に降り積もった雪が風下では少しずつ建物の外側に成長してゆき、外側にせり出した雪はついにはその自重に耐えかねて落下し、通行人や隣家の置物などの上に落ちて不測の事故を発生することがある。このような落雪を防止するためには、屋上で頻繁に雪かきをしなければならず、作業がわずらわしかった。また、屋上の雪を溶かして地上まで流下させるようにするシステムも知られているが、融雪するためのエネルギーは電気や石油によるので、コストが高くつくという問題がある。
【０００３】
ところで、建築物又は構築物の上端の積雪をよく観察すると、中央部よりも縁辺部の方がむしろ高くなっている。その理由について調べるため、建物の屋上で風向きや風速などのデータをとったところ、図４の表図に示されるように、中央部よりも風下となる縁辺部で急激に風速が低下することが判明した。要するに、風下に運ばれた雪は風速が落ちる縁辺部にたまりやすい傾向があり、そのために縁辺部で雪がより高く積もるのである。高く積もった雪は風によってさらに建物の外側に成長しやすいということができる。
【０００４】
【発明が解決しようとする課題】
本発明は前記問題点を解消するため、気象観測データを元にして縁辺部に積もった雪を圧密沈降を利用して建築物または構築物の内外に割って外側にせり出すことを防止する雪割り装置を提供することをその課題とする。
【０００５】
【課題を解決するための手段】
前記課題を解決するため、本発明に係る雪割り装置は、建築物又は構築物の上端の、冬期に風下となる縁辺部に垂直の雪割り板を立設し、雪割り板の上端から少し下がった内側に上面に積雪しない程度に傾斜した傾斜板を設け、傾斜板によって上記縁辺部上に直接に降雪するのを防止し、雪割り板によって上記縁辺部上を通過する空気の流れを早めるとともに、雪割り板を越えた後に圧密沈降した雪を割ることを特徴とする。
【０００６】
【発明の実施の形態】
図１及び図２において符号１は建物、２はその上端の屋上を示す。屋上２の周囲の縁辺部２ａには通常の場合パラペット３が設けられている。周囲のパラペット３のうち冬期に風下となる縁辺部２ａに垂直の雪割り板４が立設されている。７は雪割り板４の支持部材である。
【０００７】
雪割り板４を設ける側はその地方のアメダスのデータによればよく、雪割り板４の高さはその地方の積雪によって調整すればよい。また、雪割り板４は上記縁辺部２ａに沿って連続的に立設するのが好ましい。
【０００８】
雪割り板４の上端から少し下がった内側には傾斜板５が設けられている。この傾斜板５は、上記縁辺部２ａ上に直接に降雪するのを防止するためのもので、雪割り板４に対して３０°〜６０°の角度をなすように設定するのが好ましい。しかし、傾斜板５の幅が広すぎると、その上面に雪が積もりやすくなる。また、風や雪の種類によっても雪の積もり易さは異なる。強い風が吹く地方では雪は積もりにくいので、幅は狭くすればよい。水分を多く含む雪は積もりやすいので幅は小さく、水分が少ない雪は積もりにくいので幅を広くすることができる。したがって、傾斜板５の幅は雪の種類も考慮して決定するのがよい。
【０００９】
上記雪割り装置によれば、冬期に屋上２に降った雪６は屋上２の川上から風下に吹き流されて雪割り板４に当たり、雪割り板４を越えていく。このとき、風速が上がるので、雪６は風によって運ばれやすく、建物の縁辺部２ａにはたまりにくい。降雪時に風がないか、弱いときは雪は垂直に降りてくるので、雪割り板４による風速上昇効果はないが、傾斜板４が庇のように機能するので、縁辺部２ａには雪が積もりにくい。したがって、雪割り板４と傾斜板５により縁辺部２ａに雪が積もりにくいほか、たとえ積雪があっても、雪割り板４よりも低いときは、雪割り板４があるため、雪割り板４よりも外側に積雪が迫り出すことがない。
【００１０】
そして、図３（ａ）に示すように、雪６が降り積もって雪割り板４を越えるようになると、雪６は建物の外側に成長していく。しかし、雪の粒子自体は非常に軽く、極めて容易に押し潰されやすいので、時間が経過して上から雪がたまってくるにつれ、積雪自体の荷重によって下の雪の粒子は圧縮されて密になるから、全体が沈み込む。この圧密沈降によって積雪が低くなると、雪割り板４の上部にあった雪６は、同図（ｂ）に示されるように、雪割り板４によって内外に割られる。外側に成長した雪６ａは落下するが、その大きさは小さく、しかも十分に圧密されず、重量も小さいから、問題がない。次の降雪時にも同様にして、傾斜板５によって縁辺部２ａに雪が積もりにくくし、雪割り板４を越えて積った雪は、圧密沈降を利用して内外に割られ早めに雪のせり出しの成長が断たれる。
【００１１】
以上のように、建物の縁辺部２ａに傾斜板５を設けて縁辺部２ａに雪がたまりにくいようにするとともに、雪割り板４の高さを越えて積もった雪６の一部６ａは圧密沈降を利用して割られて小さいうちに落下してしまうので、縁辺部２ａの外側に雪６がせり出すことがない。したがって、上記雪割り装置によれば、雪かきなどの作業や特別の融雪装置などを設置しなくても、大きな雪塊が落下するようなことがなく、安全である。
【００１２】
なお、上述の雪割り装置は、通常の建物だけではなく、橋やトンネルなどの構築物においても同様に適用することができる。
【００１３】
【発明の効果】
請求項１に係る発明によれば、建物の縁辺部に雪割り板と傾斜板を設けて縁辺部に雪がたまりにくいようにするとともに、雪割り板の高さを越えて積もった雪は圧密沈降を利用して割られるので、縁辺部の外側に雪がせり出すことがない。したがって、上記雪割り装置によれば、雪かきなどの作業や特別の融雪装置などを設置しなくても、大きな雪塊が落下するようなことがなく、安全である。
【図面の簡単な説明】
【図１】本発明に係る雪割り装置の斜視図
【図２】本発明に係る雪割り装置の側面図
【図３】（ａ）（ｂ）は雪の圧密沈降を示す断面図
【図４】従来の建物の縁辺部近傍に吹く風の風速比の分布図
【符号の説明】
１　建物
２ａ　縁辺部
４　雪割り板
５　傾斜板
【図１】
2004019372.tif 000003
【図２】
2004019372.tif 000004
【図３】
2004019372.tif 000005
【図４】
2004019372.tif 000006